(57)【要約】【課題】携帯通信装置組み立て後に、最も良好な通信を行える場所を示す記号を、表示部上のどの場所にでも表示させることが可能なため、外部装置と良好な通信を行うことの可能な携帯通信装置を提供すること。【解決手段】携帯電話機１が完成した時点で、ループアンテナ１０１の有する通信最適箇所の座標を計測する。次に、当該座標を記憶部１０８に記憶させる。ループアンテナ１０１を用いた通信が行われるとき、制御部１１０はディスプレイ３０の当該座標に対応する箇所に所定の記号を表示させる。【選択図】図１０
2009110192.tif 000002
【特許請求の範囲】
【請求項１】
外部装置と非接触通信を行う携帯通信装置であって、
配設されるアンテナ部を介して前記外部装置と非接触通信が可能な通信部と、
背面部を有し、当該背面部が前記アンテナ部と向かい合って配置される表示部と、
当該表示部の表示領域の中で、前記外部装置との前記非接触通信に対する通信最適箇所へ所定の記号を表示させる制御部と、
を備えることを特徴とする携帯通信装置。
【請求項２】
前記非接触通信での受信処理に対する前記通信最適箇所を示す第１の座標と、前記非接触通信での送信処理に対する前記通信最適箇所を示す第２の座標とを記憶している記憶部を備え、
前記制御部は、前記受信処理時には前記表示部の前記第１の座標に対応した位置に前記記号を表示させ、前記送信処理時には前記表示部の前記第２の座標に対応した位置に前記記号を表示させる
ことを特徴とする請求項１に記載の携帯通信装置。
【請求項３】
外部装置と非接触通信を行うときの表示方法であって、
前記外部装置とアンテナ部を介して非接触通信を行い、
背面部が前記アンテナ部と向かい合って配置される表示部の、前記外部装置との前記非接触通信に対する通信最適箇所へ所定の記号の表示を行う、
ことを特徴とする表示方法。
【発明の詳細な説明】
【技術分野】
【０００１】
本発明は、例えばＲＦＩＤの技術を用いた非接触通信機能を有する携帯通信装置に関する。
【背景技術】
【０００２】
携帯電話機に代表される携帯通信装置は、通話機能やメール機能だけでなく他にも様々な機能を搭載されたものが数多く存在する。例えば、ＲＦＩＤ（Ｒａｄｉｏ  Ｆｒｅｑｕｅｎｃｙ  ＩＤｅｎｔｉｆｉｃａｔｉｏｎ）の技術が用いられた機能を搭載した携帯通信装置が存在する。以下、ＲＦＩＤの技術を用いた代表的な通信技術を、図１６を用いて説明する。
【０００３】
図１６は、携帯通信装置の一例である携帯電話機９００とリーダライタ装置（（以下Ｒ／Ｗ装置２００と記載する）が、ＲＦＩＤの技術を用いて非接触通信を行っている様子を示した図である。ユーザによって携帯電話機９００がＲ／Ｗ装置２００に近づけられると、Ｒ／Ｗ装置２００から放射されている電磁波によって、携帯電話機９００内に内蔵されているループアンテナ９０１に電磁誘導による電流が流れる。ループアンテナ９０１は、携帯電話機９００に内蔵されているＩＣタグ９０２と電気的に繋がっており、ループアンテナ９０１に流れた電流はＩＣタグ９０２へと流れる。ＩＣタグ９０２は、ループアンテナ９０１より供給された電流によって起動され、ループアンテナ９０１を経由して、Ｒ／Ｗ装置２００と通信を開始する。
【０００４】
このＲＦＩＤの技術を用いた非接触通信での通信距離は非常に短い。従って、ユーザは、携帯電話機９００をＲ／Ｗ装置２００へ接触させる程近づけて利用することが一般的である。しかしながら、ユーザによって携帯電話機９００がＲ／Ｗ装置２００へ近づけられても、ループアンテナ９０１とＲ／Ｗ装置２００に内蔵されている不図示のアンテナとの間に閾値以上の距離があると、携帯電話機９００とＲ／Ｗ装置２００の通信は不可能となる。
【０００５】
係る問題を解決するために、例えば、携帯電話機９００とＲ／Ｗ装置２００には、図１６に示したような印（図中においては星印）が印刷されている。携帯電話機９００に記された星印とＲ／Ｗ装置２００に記された星印は、それら星印が重なり合ったときに、これら二者間による通信状態が良好な状態となる箇所（通信最適箇所）に配される。なお、携帯電話機９００に記される星印等の印は、携帯電話機９００の樹脂性の外側筐体が金型成型される際に形成される。
【０００６】
従って、ユーザは、携帯電話機９００に形成された印とＲ／Ｗ装置２００に形成された印を合わせるように、携帯電話機９００とＲ／Ｗ装置２００を近づけることにより、良好な通信を実現することが可能となる。
【０００７】
また、係る問題を解決するために、特許文献１に示した技術も存在する。この技術による携帯電話機９００は、Ｒ／Ｗ装置２００から受信した電磁波の強度に応じた表示や音声発信を行うことによって、携帯電話機９００とＲ／Ｗ装置２００との通信の良好さ加減をユーザに伝えるというものである。
【特許文献１】特開２００７‐０７４１０２
【発明の開示】
【発明が解決しようとする課題】
【０００８】
ところで、前述したようなＲＦＩＤの技術が用いられた携帯通信装置は、例えば特定の周波数を共振周波数の中心として、Ｒ／Ｗ装置からの電磁波を受信するようになっている。
【０００９】
しかしながら、ループアンテナに貼り付けられる磁性シートの透磁率のばらつき、ループアンテナに近い箇所に配される部品（例えばバッテリーなど）に貼り付けられる磁性シートの透磁率のばらつき、及びＩＣタグに備えられているキャパシタの静電容量のばらつき等によって、携帯通信装置が組み立てられる際、共振周波数の中心は設計当初に計画していた特定の周波数から外れてしまう。
【００１０】
従って、製造段階において携帯通信装置が組み立てられた際、通信最適箇所は星印等で筐体に記された箇所と変わってしまう。
【００１１】
具体的な例を、図１７を用いて説明する。図１７は、携帯電話機の筐体内部に配置された非接触通信用のループアンテナが外部の装置から電磁波を受信するとき（以下に詳述する「応答モード」のとき）の共振周波数が異なったとき、携帯電話機の通信最適箇所が異なってくる様子を示した模式図である。実験によると、ループアンテナの共振周波数が特定の周波数に対する公差の下限値である場合の通信最適箇所（図１７の２重丸で示した箇所）と、ループアンテナの共振周波数が特定の周波数に対する公差の上限値である場合の通信最適箇所（図１７の１重丸で示した箇所）を比較したとき、通信最適箇所はずれることが分かっている。
【００１２】
つまり、金型成型によって形成された通信最適箇所を示す印と、実際の通信最適箇所がずれてしまい、携帯通信装置とＲ／Ｗ装置との間で良好な非接触通信が出来なくなるという問題があった。
【００１３】
本発明は、係る問題を解決するために、外部装置と良好な通信を行うことが可能な携帯通信装置を提供することを目的とする。
【課題を解決するための手段】
【００１４】
本発明に係る携帯通信装置は、外部装置と非接触通信を行う携帯通信装置であって、配設されるアンテナ部を介して前記外部装置と非接触通信が可能な通信部と、背面部を有し、当該背面部が前記アンテナ部と向かい合って配置される表示部と、当該表示部の表示領域の中で、前記外部装置との前記非接触通信に対する通信最適箇所へ所定の記号を表示させる制御部と、を備えることを特徴とする。
【００１５】
更に好適には、本発明に係る携帯通信装置は、前記非接触通信での受信処理に対する前記通信最適箇所を示す第１の座標と、前記非接触通信での送信処理に対する前記通信最適箇所を示す第２の座標とを記憶している記憶部を備え、前記制御部は、前記受信処理時には前記表示部の前記第１の座標に対応した位置に前記記号を表示させ、前記送信処理時には前記表示部の前記第２の座標に対応した位置に前記記号を表示させることを特徴とする。
【００１６】
また、本発明に係る別の観点による表示方法は、外部装置と非接触通信を行う通信方法であって、前記外部装置とアンテナ部を介して非接触通信を行い、背面部が前記アンテナ部と向かい合って配置される表示部の、前記外部装置との前記非接触通信に対する通信最適箇所へ所定の記号の表示を行う、ことを特徴とする。
【発明の効果】
【００１７】
本発明によれば、非接触通信に対する通信最適箇所を示す記号を、表示部に表示させることにより、外部装置と良好な非接触通信を行うことの可能な携帯通信装置を提供することができる。
【発明を実施するための最良の形態】
【００１８】
以下、図面を参照して本発明を実施するための最良の形態を説明する。なお、以下、携帯通信装置として２つ折りタイプの携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても、ＲＦＩＤ技術による通信機能を備えた通信機器であれば適用可能である。また、リボルバタイプ、ストレートタイプの携帯電話機においても、本発明は実施可能である。
【００１９】
図１から図３により、携帯通信装置としての携帯電話機１における基本構造を説明する。図１は、携帯通信装置としての携帯電話機１を開いた状態における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００２０】
携帯電話機１は、操作部側筐体２と、表示部側筐体３とを備える。操作部側筐体２と表示部側筐体３とは２軸ヒンジ機構を備える連結部４を介して連結され、その携帯電話機１を開状態及び閉状態に変形可能とすると共に、開状態及び閉状態それぞれにおいて表示部側筐体３を表状態と裏状態とに切り替えることができる。
【００２１】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０（表示部）と、操作部側筐体２における表面２Ａに配置される操作キー群１１とが同じ側を向くように配置された状態（図１参照）であり、開状態における裏状態とは、表示部側筐体３におけるディスプレイ３０と操作部側筐体２における操作キー群１１とが反対側を向くように配置された状態（図７参照）をいう。また、閉状態における表状態とは、表示部側筐体３におけるディスプレイ３０が操作部側筐体２における操作キー群１１に対向するように配置された状態（図５参照）であり、閉状態における裏状態とは、表示部側筐体３におけるディスプレイ３０が操作部側筐体２における操作キー群１１と対向せずに表出した状態（図８参照）である。
【００２２】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２３】
操作キー群１１を構成する各キーそれぞれには、操作部側筐体２と表示部側筐体３との開閉状態や表裏状態等の変形状態や、起動されているアプリケーションの種類に応じて所定の機能が割り当てられる。携帯電話機１において、操作キー群１１を構成する各キーが使用者により押圧されることで、各キーに割り当てられている機能に応じた動作が実行される。
【００２４】
操作部側筐体２における一方の側面には、図２（Ａ）に示すように、外部機器とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２５】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる。ここで、上述と同様に、サイドキー２０が使用者により押圧されることで、携帯電話機１においてサイドキー２０に割り当てられている機能に応じた動作が実行される。
【００２６】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側の内端部側に配置される。また、操作部側筐体２におけるリアケース２ｂには、バッテリー収容部９２にバッテリー９０を装着するための開口９２ａが形成されると共に、該開口９２ａを塞ぐようにバッテリーリッド２５が配置される。
【００２７】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３がその携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる。携帯電話機１において、操作キー群１１を構成する各キーが使用者により押圧されることで、各キーに割り当てられている機能に応じた動作が実行される。
【００２８】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するレシーバーとしての音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２９】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００３０】
ここで、携帯電話機１は、その携帯電話機１における開閉状態及び閉状態における表裏状態を検出する状態検出手段を備える。状態検出手段は、第１筐体としての操作部側筐体２に配置される磁気センサとしての１つのホール素子６と、第２筐体としての表示部側筐体３に配置される２つの磁石７ａ、７ｂとにより構成される。ホール素子６は、Ｓ極の磁力とＮ極の磁力との双方を検出すると共に、磁力の大きさを検出する。
【００３１】
このホール素子６と２つの磁石７ａ、７ｂとは、開状態において互いに離間すると共に、閉状態においてホール素子６と一方の磁石とが筐体の厚さ方向において重なるように配置される。そして、ホール素子６は、磁石７ａ、７ｂから発せられる磁力の方向（Ｓ極又はＮ極）及び磁力の大きさにより、携帯電話機１における開閉状態及び閉状態における表裏状態を検出する。
【００３２】
次いで、図４から図８により、連結部４の構造及び携帯電話機１における変形状態について説明する。図４は、携帯電話機１を開いた状態における斜視図を示す。図５は、図４に示される状態から携帯電話機１の表示部側筐体３と操作部側筐体２を、連結部４の開閉軸αを中心に閉回転し、閉じた状態の平面図を示す。図６は、図４に示される状態から携帯電話機１の表示部側筐体３を、連結部４の回動軸βを中心にして所定角度回動した状態の斜視図を示す。図７は、図４に示される状態から携帯電話機１の表示部側筐体３を、連結部４の回動軸βを中心にして１８０°回動した状態の斜視図を示す。図８は、図７に示される状態から携帯電話機１の表示部側筐体３を、連結部４の開閉軸αを中心に閉回転して閉じた状態の斜視図を示す。
【００３３】
連結部４は、操作部側筐体２と表示部側筐体３とを、開閉軸αを中心にして任意の角度で開閉自在に連結すると共に、回動軸βを中心に任意の角度で回動自在に連結する２軸ヒンジ機構を備える。
【００３４】
連結部４は、一方端４ａ側において図示しない開閉連結部材により操作部側筐体２の上端部と連結されており、他方端４ｂ側において図示しない回動連結部材により表示部側筐体３の下端部と連結されている。
【００３５】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３６】
この開閉部４ｃの開閉軸α方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００３７】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸βを中心に回動可能に連結される。つまり、操作部側筐体２と表示部側筐体３とは、表示部側筐体３の表裏状態を切り替え可能に連結される。
【００３８】
携帯電話機１は、上述したように、操作部側筐体２と表示部側筐体３とが連結部４により開閉及び回動可能に連結される。これにより、操作部側筐体２と表示部側筐体３とを、開閉軸αを中心にして開閉させたり、回動軸βを中心にして回動をさせたりすることで携帯電話機１を様々な状態に変形させることができる。
【００３９】
例えば、図５に示す操作部側筐体２と表示部側筐体３とが互いに重なる状態である閉状態の携帯電話機１を、操作部側筐体２及び表示部側筐体３それぞれにおける開閉軸αと反対側の端部が、互いに離間するよう開閉軸αを中心にして開くように変形させることで、図１から図４に示す操作部側筐体２と表示部側筐体３とが互いに重ならない開状態にすることができる。
【００４０】
逆に、図１から図４に示す開状態の携帯電話機１を、操作部側筐体２及び表示部側筐体３それぞれの開閉軸αと反対側の端部が、互いに近づくよう開閉軸αを中心にして閉じるように変形させることで、図５に示す閉状態にすることができる。
【００４１】
また、図１から図４に示す開状態において、図６に示すように、表示部側筐体３を、回動軸βを中心に回動させることができる。更には、表示部側筐体３を図６の状態から更に回動軸βを中心に回転させることで、表示部側筐体３における表裏状態を切り替えることができる。具体的には、図１から図４に示す表示部側筐体３における表面３Ａに配置されるディスプレイ３０と、操作部側筐体２における表面２Ａに配置される操作キー群１１とが同じ側を向く開状態から、表示部側筐体３が回動軸βを中心に１８０度回転されることで、図７に示されるように、表示部側筐体３における表面３Ａに配置されるディスプレイ３０と、操作部側筐体２における表面２Ａに配置される操作キー群とが反対側を向く開状態にすることができる。
【００４２】
そして、図７に示す状態における表示部側筐体３を、開閉軸αを中心にして閉じるよう変形させることで、携帯電話機１を図８に示す閉状態にすることができる。つまり、携帯電話機１は、図５に示す表示部側筐体３におけるディスプレイ３０が、操作部側筐体２における操作キー群１１に対向するよう配置された閉状態から、図８に示す表示部側筐体３におけるディスプレイ３０が、操作部側筐体２に対向せずに表出した状態である閉状態に変形させることができる。
【００４３】
以下、図７に示すように、ディスプレイ３０がリアケース２ｂと同じ方向を向いている状態を「第１の開状態」と記載することとする。また、図８に示すように、ディスプレイ３０が、フロントケース２ａと同じ方向を向いて携帯電話機１が閉じられた状態を「第１の閉状態」と記載することとする。
【００４４】
なお、本実施形態においては、連結部４により折り畳み可能な携帯電話機１の説明をしているが、このような折り畳み式ではなく、操作部側筐体２と表示部側筐体３との重ね合せ方向に沿う軸線を中心に一方の筐体を回転させるようにした回転（リボルバ）式でもよく、表示部側筐体３を操作部側筐体２に対して筐体長平方向にスライド可能としたスライド式でもよい。
【００４５】
図９は、携帯電話機１の主要構成部品をブロック図で模式的に示したものである。
【００４６】
操作キー群１１、音声入力部１２、音声出力部３１、ディスプレイ３０、サブディスプレイ３２及びアンテナ２２は前述したとおりである。これらの構成部品は、操作部側筐体２内に配されている制御部１１０によって制御されている。
【００４７】
例えば、ユーザによって文字入力が行われるとき、制御部１１０は、操作キー群１１から入力を受付け、該入力に応じた計算処理を行ってディスプレイ３０やサブディスプレイ３２へ文字を表示させる。また、制御部１１０は、音声入力部１２より音声信号を受付け、不図示の通話用アンテナへ変調処理を施した前記音声信号を外部へ送信させる。なお、制御部１１０は、図５において示した状態、つまりディスプレイ３０と操作キー群１１が向かい合った閉状態においては、ディスプレイ３０の表示動作に関する全てを行わない。
【００４８】
このように、制御部１１０は各構成部品の間に介在することによって、信号変換や計算処理を行い、各構成部品に適正な動作を行わせる。
【００４９】
ループアンテナ（アンテナ部）１０１、ＩＣタグ１０２も他の構成部品と同様に制御部１１０に接続されている。ループアンテナ１０１は、原材料として銅線からなり、略長方形の形状をしたコイルを形成している。ループアンテナ１０１は、前述したディスプレイ３０の表示領域の裏側に当たる背面部と向かい合うように、表示部側筐体３内に納められている。ループアンテナ１０１は、ＩＣタグ１０２を経由して制御部１１０と接続される。そして、ループアンテナ１０１、ＩＣタグ１０２及び制御部１１０により、通信部が構成されている。ＩＣタグ１０２は、図１６、図１７を用いて説明したとおり、Ｒ／Ｗ装置２００（外部装置）の電磁誘導によって誘起されたループアンテナ１０１に流れる電流によって起動する。また、制御部１１０からの制御によって、ＩＣタグ１０２はループアンテナ１０１から電流の供給を受けなくとも起動することが可能である。これは、例えば、ループアンテナ１０１を有する２機の携帯電話機間で情報を送受信するときに、携帯電話機１が最初に電磁波を送信する場合に備えてこのような仕様となっている。
【００５０】
以下、Ｒ／Ｗ装置２００より電磁波を、非接触通信によって携帯電話機１が受信処理を行う状態を「応答モード」と記載することとする。また、制御部１１０の制御によってＩＣタグ１０２が起動されることによって、電磁波を非接触通信によって携帯電話機１が送信処理を行うときの状態を「出力モード」と記載することとする。
【００５１】
制御部１１０は、携帯電話機１の電源が入れられたとき、自動的に応答モードを作動させる。そして、制御部１１０は、操作キー群１１より所定の入力を受け付けると、出力モードを作動させる。前述した所定の入力とは、例えば携帯電話機１のユーザが、他の携帯電話機にプロフィールを送る際などになされる入力である。つまり、携帯電話機１において、待ち受け状態等の他のアプリケーションが実行されていないとき、制御部１１０は、通信部を常に応答モードにする。
【００５２】
また、携帯電話機１は、記憶部１０８も備えている。記憶部１０８は、例えば、名前、電話番号及びメールアドレス等が複数組記憶されたアドレス帳を記憶している。また、制御部１１０で実行されるアプリケーションのプログラム及びデータも記憶している。
【００５３】
また、記憶部１０８には、携帯電話機１が組み立てられた後に、その携帯電話機１が組み立てられた後に計測されたループアンテナ１０１の通信最適箇所の座標が記憶される。通信最適箇所及び座標については後に詳述する。
【００５４】
図１０は、図７において示した「第１の開状態」にある携帯電話機１を背面側からみた模式図である。なお、図を分かり易くするために、ディスプレイ３０の大きさは実際よりも小さく描いている。前述したループアンテナ１０１及びＩＣタグ１０２は、表示部側筐体３の中に備えられている。そして、ループアンテナ１０１は、ディスプレイ３０と平行になるように配されている。また、ループアンテナ１０１と平行に配されたディスプレイ３０は、ループアンテナ１０１の略中央に配される。
【００５５】
ＩＣタグ１０２は、ループアンテナ１０１よりも連結部４側、つまり操作部側筐体２に近い側の操作部側筐体２の筐体内に配されている。そして前述したとおり、ＩＣタグ１０２は、ループアンテナ１０１と電気的に接続されている。
【００５６】
制御部１１０は、操作部側筐体２内に配されている。そして、制御部１１０は、連結部４の中に配されたケーブルを介してＩＣタグ１０２、ディスプレイ３０及び副操作キー群３３と電気的に接続されている。制御部１１０は、携帯電話機１が「出力モード」のとき、前記ケーブルを介してＩＣタグ１０２へ電気信号を送り、ＩＣタグ１０２を起動させる。
【００５７】
以下、出力モードが作動しているときの携帯電話機１の動作を、図１１を用いて説明する。
【００５８】
図１１は、出力モードの状態であるときの携帯電話機１の処理を示したフローチャートである。以下、順にステップを追って説明してゆく。
【００５９】
＜ステップＳ１１０１＞
前述したように、制御部１１０は、携帯電話機１の形態が、ディスプレイ３０と操作キー群１１が向かい合った閉状態以外の形態である時は、常に応答モードである。しかしながら、例えば、ユーザよりデータを送信する旨の入力を操作キー群１１より受け付けると、制御部１１０は通信部を出力モードへと切り替える。具体的には、制御部１１０はＩＣタグ１０２を起動させる。そして、ＩＣタグ１０２の起動に従い、ループアンテナ１０１から電磁波が外界へ出力されはじめる。
【００６０】
＜ステップＳ１１０２＞  
制御部１１０は、記憶部１０８に記憶されている「出力モード用の座標（第２の座標）のデータを呼び出す。この「出力モード用の座標」は、例えば（Ｘ、Ｙ）＝（２ｍｍ、３ｍｍ）という二次元の座標データとして記憶部１０８に記憶されている。
【００６１】
この座標は、携帯電話機１が製造時に検査されることによって判明した、ループアンテナ１０１から放射される電磁波が最も安定して放射される箇所（通信最適箇所）を示す座標である。つまり、製造ラインにおいて、携帯電話機１の組み立てが完了した後、携帯電話機１は通信最適箇所を調べる検査にかけられる。その際に、出力モードのときの座標だけではなく、応答モードのときの座標も記憶部１０８に記憶される。そして、出力モード及び応答モードの通信最適箇所の座標が、組み立てられた携帯電話機１の記憶部１０８に記憶される。このときに記憶された座標のうち、第２の座標である出力モード用の座標が記憶部１０８より呼び出すことにより、製造された携帯電話機１は、適切な場所にマークを表示することが可能となる。
【００６２】
＜ステップＳ１１０３＞  
制御部１１０は、ディスプレイ３０における座標データの位置に、マーク（所定の記号）を表示させる。その様子を図１２に示す。
【００６３】
実線で描かれた星印が、本ステップＳ１１０３において表示される所定の記号である。なお、本実施形態においては、所定の記号を星印としたが、例えば「通信良好位置」といった文字による表示であってもよいし、他の図形記号であってもよい。また、図１２に示すとおり、座標の設定方法は、本実施形態においてディスプレイ３０を原点、表示部側筐体３の長手方向をＸ軸方向、表示部側筐体３の短手方向をＹ軸方向としているものの、実施形態はこれに限定されない。例えば、ディスプレイ３０の隅（図１２のディスプレイ３０の紙面右下）を原点とした座標設定が行われてもよい。
【００６４】
＜ステップＳ１１０４＞  
ディスプレイ３０へ所定の記号である実線で描かれた星印を表示させると、制御部１１０は、出力モードによる情報の送受信が終了したかどうかをチェックする。もし、出力モードによる情報の送受信が終了していなかったとき（Ｓ１１０４／Ｎ）、制御部１１０は、ステップＳ１１０３の段階に戻って、引き続き所定の記号をディスプレイ３０へ表示し続ける。また、もし出力モードによる情報の送信が終了したとき（Ｓ１１０４／Ｙ）、制御部１１０は、応答モード（つまり、ループアンテナ１０１による外界からの電磁波受信を待ち受ける状態）へと移行する。
【００６５】
＜ステップＳ１１０５＞  
応答モードに移行したとき、制御部１１０は、記憶部１０８から応答モードにおける最適な座標値（第１の座標）を入手する。これは、送信を目的とする送信モードと、受信を目的とする受信モードとでは、共振周波数の中心が異なるためである。具体的には、トランジスタでキャパシタをループアンテナ１０１に繋ぐか繋がないかをスイッチさせて、制御部１１０は共振周波数を変更させている。
【００６６】
＜ステップＳ１１０６＞  
ディスプレイ３０の当該応答モード時の最もよい座標に、制御部１１０は所定の記号を表示させる。
【００６７】
＜ステップＳ１１０７＞  
Ｓ１１０６において、ディスプレイ３０に応答モード用の所定の記号を表示したら、制御部１１０は、出力モードを終了させる。つまり、前述したとおり、出力モードがユーザによって動作されない限り、制御部１１０は、通信部を常に応答モードとしておき、Ｒ／Ｗ装置２００または他の携帯電話機から放射される電磁波の受信を待ち受ける状態となる。
【００６８】
図１３は、応答モードによって携帯電話機１が、Ｒ／Ｗ装置２００より情報を受信するときの様子を示した図である。破線で示されているのは、表示部側筐体３内に収められているループアンテナ１０１とＩＣタグ１０２である。このとき、携帯電話機１は、「第１の閉状態」である。このとき、携帯電話機１のユーザは、ディスプレイ３０に表示された所定の記号とＲ／Ｗ装置２００に予め記されている印を重ね合わせるように、携帯電話機１とＲ／Ｗ装置２００を接触させることによって、通信最適箇所による携帯電話機１とＲ／Ｗ装置２００の通信を実現させることが可能となる。
【００６９】
また、前述した実施形態においては、ループアンテナ１０１とＩＣタグ１０２は、表示部側筐体３の内部に配されるものの、操作部側筐体２の内部にループアンテナ１０１とＩＣタグ１０２が配されてもよい。このような実施形態を実施したときの操作部側筐体２の分解斜視図を図１４に示す。本実施形態においては、ループアンテナ１０１とＩＣタグ１０２はリアケース２ｂに貼り付けられるように配される。また、ＩＣタグ１０２は操作部側筐体２の、ループアンテナ１０１より連結部４に近い側に配される。
【００７０】
図１５は、図１４において示した実施形態の携帯電話機１が用いられて、Ｒ／Ｗ装置２００が携帯電話機１と通信する場合の様子を示した図である。このとき、携帯電話機１は「第１の閉状態」で用いられる。本実施形態においては、ユーザは、ディスプレイ３０に表示された所定の記号を上に向けた状態でＲ／Ｗ装置２００へ接近させることとなる。従って、前述した実施形態より、ユーザはディスプレイ３０の所定の記号の位置を視認しやすく、より簡便にＲ／Ｗ装置２００と通信を行うことが可能となる。
【００７１】
以上、説明したように、ディスプレイに通信最適位置の場所を具体的に表示させることによって、携帯電話機１は、ユーザへ他の通信機器とのＲＦＩＤ技術を用いた通信を、より確実かつ簡便に行わせることが可能となる。
【００７２】
なお、本実施形態においては、携帯電話機１は常時応答モードで、操作キー群１１より所定の入力を受け付けることによって出力モードに切り替わる構成となっているものの、本発明はこれに限定されない。例えば、応答モードも、出力モードと同様に、所定の入力を操作キー群１１より受け付けることによって、制御部１１０が通信部を出力モードへと変更させるようにしても良い。
【００７３】
また、本実施形態においては携帯電話機を例にとって説明を行ったものの、例えばディスプレイを有するＲ／Ｗ装置においても全く同様の技術を用いてもよい。
【図面の簡単な説明】
【００７４】
【図１】本実施形態における携帯電話機１が開かれた状態の正面図である。
【図２】（Ａ）携帯電話機１を開いた状態における左側面図を示す。（Ｂ）携帯電話機１を開いた状態における右側面図を示す。
【図３】携帯電話機１を開いた状態における背面図を示す。
【図４】携帯電話機１を開いた状態における斜視図を示す。
【図５】携帯電話機１の表示部側筐体３と操作部側筐体２を、連結部４の開閉軸αを中心に閉回転し、閉じた状態の平面図を示す。
【図６】携帯電話機１の表示部側筐体３を、連結部４の回動軸βを中心にして所定角度回動した状態の斜視図を示す。
【図７】携帯電話機１の表示部側筐体３を、連結部４の回動軸βを中心にして１８０°回動した状態（第１の開状態）の斜視図を示す。
【図８】携帯電話機１の表示部側筐体３を、連結部４の開閉軸αを中心に閉回転して閉じた状態（第１の閉状態）の斜視図を示す。
【図９】携帯電話機１の主要構成部品のブロック図を示す。
【図１０】図７において示した第１の開状態の携帯電話機１の背面図を示す。
【図１１】制御部１１０による、応答モードと出力モードの切り替えの様子を示したフローチャートを示す。
【図１２】第１の開状態の携帯電話機１の背面図において、ディスプレイ３０に所定の記号が表示されたときの様子を示す。
【図１３】Ｒ／Ｗ装置２００が、第１の閉状態の携帯電話機１と、通信するときの様子を示す。
【図１４】ループアンテナ１０１とＩＣタグ１０２が操作部側筐体２に配されたときの、操作部側筐体２の分解斜視図を示す。
【図１５】操作部側筐体２にループアンテナ１０１とＩＣタグ１０２が配された実施形態における、Ｒ／Ｗ装置２００が携帯電話機１と通信を行う場合の様子を示す。
【図１６】Ｒ／Ｗ装置２００が携帯電話機９００と通信する様子を示した図である。
【図１７】携帯電話機９００に記された通信最適箇所を示す印が、共振周波数によって異なる場所となることを示す図である。
【符号の説明】
【００７５】
１・・・携帯電話機
１０１・・・ループアンテナ
１０２・・・ＩＣタグ
１０８・・・記憶部
１１・・・操作キー群
１１０・・・制御部
１２・・・音声入力部
１３・・・機能設定操作キー
１４・・・入力操作キー
１５・・・決定操作キー
１６・・・インターフェース
１７・・・ヘッドホン／マイク端子
１８・・・インターフェース
１９・・・充電端子
２・・・操作部側筐体
２ａ・・・フロントケース
２Ａ・・・表面
２０・・・サイドキー
２００・・・Ｒ／Ｗ装置
２１・・・操作キー
２２・・・アンテナ
２３・・・カメラ部
２４・・・ライト部
２５・・・バッテリーリッド
２ｂ・・・リアケース
３・・・表示部側筐体
３ａ・・・フロントケース
３Ａ・・・表面
３０・・・ディスプレイ
３１・・・音声出力部
３２・・・サブディスプレイ
３３・・・副操作キー群
３ｂ・・・リアケース
４・・・連結部
４ａ・・・一方端
４ｂ・・・他方端
４ｃ・・・開閉部
５・・・切り欠き部
６・・・ホール素子
７ａ、７ｂ・・・磁石
９０・・・バッテリー
９２・・・バッテリー収容部
９２ａ・・・開口
【図１】
2009110192.tif 000003
【図２】
2009110192.tif 000004
【図３】
2009110192.tif 000005
【図４】
2009110192.tif 000006
【図５】
2009110192.tif 000007
【図６】
2009110192.tif 000008
【図７】
2009110192.tif 000009
【図８】
2009110192.tif 000010
【図９】
2009110192.tif 000011
【図１０】
2009110192.tif 000012
【図１１】
2009110192.tif 000013
【図１２】
2009110192.tif 000014
【図１３】
2009110192.tif 000015
【図１４】
2009110192.tif 000016
【図１５】
2009110192.tif 000017
【図１６】
2009110192.tif 000018
【図１７】
2009110192.tif 000019